(57)【要約】      （修正有）【課題】雨の日に子供が濡れることなく自転車に乗れ、簡単迅速に着脱、乗せ降ろしができる、子供乗せ自転車のフロントチャイルドシート用レインカバーを提供する。【解決手段】前面に透明ビニール製のファスナー開口部を設け、ハンドルがあたる部分に面ファスナーを有する切り込みを設け、裾部分にゴミを入れる。面ファスナーを合わせ、ゴムを引くだけで、自転車に装着できる。【選択図】図３
0003166314.tif 000002
【実用新案登録請求の範囲】
【請求項１】
前面にファスナー開口部を設け、レインカバーを取り外すことなく、子供の乗せ降ろしを可能にすることを特徴とするフロントチャイルドシート用レインカバー。
【請求項２】
請求項１のファスナー開口部のみを透明ビニール製にし、その他の部分は、ナイロンまたはポリエステルの撥水・防水素材を採用し、軽量でありながら、しっかりと防水でき、撥水性が高い為、すぐに収納し、コンパクトに携帯できる。収納は背面に取り付けられたポケットにできる収納一体型を特徴とする、請求項１記載のフロントチャイルドシート用レインカバー。
【請求項３】
ハンドルがあたる部分に切り込みを設け、ハンドルを避けるようにレインカバーを被せることができ、被せた後は、面ファスナーを合わせるだけで隙間を防ぎ、チャイルドシートにフィットさせることができることを特徴とする、請求項１または２のいずれか１項に記載のフロントチャイルドシート用レインカバー。
【請求項４】
レインカバーの裾部分にゴムを入れることで、チャイルドシートにフィットし、特に前面の裾はタイヤに巻き込まないよう、ゴムを引き、使用者の所有する自転車のチャイルドシートのサイズに合わせ調整することができ、かつ、余ったゴムがタイヤに巻き込まれないよう、ゴムをひっかける溝を有するゴムストッパーを採用。装着は前述の面ファスナーを合わせ、ゴムを引くのみで、簡単で安全に使用できることを特徴とする、請求項１乃至４のいずれか１項に記載のフロントチャイルドシート用レインカバー。
【請求項５】
側面上部にメッシュ素材の通気口を設け、さらにその通気口にフラップを付けることで、風は通すが、雨は入らないことを特徴とする、請求項１乃至４のいずれか１項に記載のフロントチャイルドシート用レインカバー。
【請求項６】
上部三辺に、形状安定ボーンを入れることで、レインカバーを安定させ、且つ、折りたたんで収納もできる柔らかさを持つことを特徴とする、請求項１乃至５のいずれか１項に記載のフロントチャイルドシート用レインカバー。
【請求項７】
縫い代を撥水素材のバイヤステープで始末することで、縫い目からの雨の侵入を防ぐことを特徴とする、請求項１乃至６のいずれか１項に記載のフロントチャイルドシート用レインカバー。
【考案の詳細な説明】
【技術分野】
【０００１】
本考案は、自転車のチャイルドシートと子供を雨から守るためのレインカバーに関するものである。
【背景技術】
【０００２】
雨天時に自転車に子供を乗せるには、子供にレインコートを着せるが、レインコートで覆われていない顔や手が濡れる。また、子供を降ろして走行すると、シートが濡れ、再び子供を乗せる際に、雨水を拭かなければならい。レインコートを着せるのも手間がかかり、また濡れたレインコートの着脱には、周辺が濡れぬよう気遣いが必要な場面があるため、場所も選ぶ。以上のことから、雨の日は子供の送り迎えから通勤までに非常に時間がかかるのを改善するため、レインカバーの着脱・子供の乗せ降ろしが簡単に行えるものである。
【先行技術文献】
【特許文献】
【０００３】
【特許文献１】実登3142846
【考案の概要】
【考案が解決しようとする課題】
【０００４】
特許文献１では、子供を乗せ降ろしする際に、レインカバーを取り外す必要があるだけでなく、全体が塩化ビニール製の為、撥水性・コンパクト性に欠ける。また、レインカバーの装着は紐で固定するものであり、紐を結ぶ手間が掛かる。
【０００５】
本考案では、レインカバーを取り外すことなく、スムーズに子供の乗せ降ろしができるため、チャイルドシートの座面も、子供もほぼ濡れずに済み、撥水性の高い軽量な素材を採用する事で、使用後はすぐにコンパクトに収納できる。突然の雨に備えて携帯もできる。
また、レインカバーの装着は被せて面ファスナーを留めるだけなので、素早く行える。
【課題を解決するための手段】
【０００６】
以上の課題を解決する為に第一考案は、前面にファスナー開口部を設け、レインカバーを取り外すことなく、子供の乗せ降ろしを可能にすることを特徴とするフロントチャイルドシート用レインカバー。
【０００７】
第二考案は、前記の開口部のみを透明ビニール製。その他の部分は、ナイロンまたはポリエステルの撥水・防水素材を採用し、軽量でありながら、しっかりと防水でき、撥水性が高いので、すぐに収納し、コンパクトに携帯できる。収納は背面に取り付けられたポケットにできる収納一体型を特徴とするフロントチャイルドシート用レインカバー。
【０００８】
第三考案は、ハンドルにあたる部分に切り込みを設け、ハンドルを避けるようにレインカバーを被せることができ、被せた後は、面ファスナーを合わせるだけで隙間を防ぎ、チャイルドシートにフィットさせることができることを特徴とするフロントチャイルドシート用レインカバー。
【０００９】
第四考案は、レインカバーの裾部分にゴムを入れることで、チャイルドシートにフィットし、特に前面の裾はタイヤに巻き込まないよう、ゴムを引き、使用者の所有する自転車のチャイルドシートのサイズに合わせ調整することができ、かつ、余ったゴムがタイヤに巻き込まれないよう、ゴムをひっかける溝を有するゴムストッパーを採用。装着は前述の面ファスナーを合わせ、ゴムを引くのみで、安全に使用できることを特徴とするフロントチャイルドシート用レインカバー。
【００１０】
第五考案は、側面上部にメッシュ素材の通気口を設け、さらにその通気口にフラップを付けることで、風は通すが、雨は入らないことを特徴とするフロントチャイルドシート用レインカバー。
【００１１】
第六考案は、上部三辺に、形状安定ボーンを入れることで、レインカバーを安定させ、且つ、折りたたんで収納もできることを特徴とするフロントチャイルドシート用レインカバー。
【００１２】
第七考案は、縫い代を撥水素材のバイヤステープで始末することで、縫い目からの雨の侵入を防ぐことを特徴とするフロントチャイルドシート用レインカバー。
【考案の効果】
【００１３】
本考案のレインカバーは、チャイルドシートにカバーを被せて、面ファスナーを留め、ゴムを調整するだけで素早く装着できる。またゴムが入っていることでタイヤへの巻き込み防止になり、安全性にも優れる。子供の乗せ降ろしは、レインカバーを取り外すことなく、前面のファスナー開口部をあければ可能であるため、雨の中、素早く乗せ降ろしが行える。また使用後は、撥水性の高い素材の為、すぐに雨を落とすことができ、レインカバーの背面に取り付けられているポケットにそのまま収納できるという優れた携帯性を実現する。
【図面の簡単な説明】
【００１４】
【図１】本考案の一実施形態を示す側面図（ａ）及び通気口の部分拡大図（ｂ）。
【図２】本考案の一実施形態を示す正面図（ａ）及びゴムストッパーの拡大図（ｂ）。
【図３】本考案の一実施形態を示す斜視図（ａ）及び前面開口部のファスナーを開いた状態を示す図（ｂ）。
【図４】本考案の一実施形態を示す背面図（ａ）及び収納時の状態を示す図（ｂ）。
【符号の説明】
【００１５】
１    前面開口部ファスナー
２    透明ビニール窓
３    ハンドル用スリット
４    面ファスナー
５    ゴム
６    ゴムストッパー
７    通気口フラップ
８    通気口メッシュ
９-a~c   形状安定ボーン    
１０  収納可能ポケット
【図１】
0003166314.tif 000003
【図２】
0003166314.tif 000004
【図３】
0003166314.tif 000005
【図４】
0003166314.tif 000006
【手続補正書】
【提出日】平成22年10月12日(2010.10.12)
【手続補正１】
【補正対象書類名】実用新案登録請求の範囲
【補正対象項目名】請求項２
【補正方法】変更
【補正の内容】
【請求項２】
前記ファスナー開口部のみを透明ビニール製にし、その他の部分は、ナイロンまたはポリエステルの撥水・防水素材を採用し、軽量でありながら、しっかりと防水でき、撥水性が高い為、すぐに収納し、コンパクトに携帯できる為、収納は背面に取り付けられたポケットにできる収納一体型を特徴とする、請求項１記載のフロントチャイルドシート用レインカバー。
【手続補正２】
【補正対象書類名】実用新案登録請求の範囲
【補正対象項目名】請求項４
【補正方法】変更
【補正の内容】
【請求項４】
レインカバーの裾部分にゴムを入れることで、チャイルドシートにフィットし、特に前面の裾はタイヤに巻き込まないよう、ゴムを引き、使用者の所有する自転車のチャイルドシートのサイズに合わせ調整することができ、かつ、余ったゴムがタイヤに巻き込まれないよう、ゴムをひっかける溝を有するゴムストッパーを採用することで、装着は前述の面ファスナーを合わせ、ゴムを引くのみで、簡単で安全に使用できることを特徴とする、請求項１乃至４のいずれか１項に記載のフロントチャイルドシート用レインカバー。
【手続補正書】
【提出日】平成22年12月22日(2010.12.22)
【手続補正１】
【補正対象書類名】実用新案登録請求の範囲
【補正対象項目名】請求項４
【補正方法】変更
【補正の内容】
【請求項４】
レインカバーの裾部分にゴムを入れることで、チャイルドシートにフィットし、特に前面の裾はタイヤに巻き込まないよう、ゴムを引き、使用者の所有する自転車のチャイルドシートのサイズに合わせ調整することができ、かつ、余ったゴムがタイヤに巻き込まれないよう、ゴムをひっかける溝を有するゴムストッパーを採用することで、装着は前述の面ファスナーを合わせ、ゴムを引くのみで、簡単で安全に使用できることを特徴とする、請求項１乃至３のいずれか１項に記載のフロントチャイルドシート用レインカバー。